(57)【特許請求の範囲】
【請求項１】
スペースを挟んで少なくとも２つのマークがつらなる符号化データを含むデジタル信号を導入し、前記２つのマークのパルス幅がいずれも予め設定された範囲内にあるか否かを判定するマーク幅判定手段と、
前記デジタル信号の符号化データを導入し、前記スペースの幅が予め設定された範囲内にあるか否かを判定するスペース幅判定手段と、
このスペース幅判定手段において前記スペースの幅が予め設定された範囲内にあると判定されるとともに、前記パルス幅判定手段において前記２つのマークのパルス幅がいずれも予め設定された範囲内にあると判定されたとき、前記符号化データはモールス信号であるとして、起動信号を出力するモールス信号判定手段と
を具備することを特徴とするモールス信号判定装置。
【請求項２】
前記マーク幅判定手段及び前記スペース幅判定手段は、高速フーリエ変換（ＦＦＴ）により構成されたことを特徴とする請求項１記載のモールス信号判定装置。
【請求項３】
符号化データからなるデジタル信号を導入して、その出力をオン／オフ切替え可能な切替え手段と、
前記デジタル信号の符号化データを導入し、判定に基づき前記起動信号を出力する前記請求項１または請求項２に記載のモールス信号判定装置と、
このモールス信号判定装置からの前記起動信号に基づき、予め設定された時間の間、前記デジタル信号の出力がオフ（遮断）されるように前記切替え手段を制御するタイマ手段と
を具備することを特徴とするモールス信号除去装置。
【請求項４】
高周波信号を受信するアンテナと、
このアンテナに接続され、受信された前記高周波信号の受信帯域を複数個に分割する周波数分割手段と、
この周波数分割手段で分割された前記高周波信号をそれぞれデジタル信号に変換する複数個のＡ／Ｄ変換手段と、
これら複数個のＡ／Ｄ変換手段にそれぞれ接続された複数個の検波手段と、
これら複数個の検波手段からの検波出力信号をそれぞれ導入し、その検波出力信号がモールス信号を形成した符号化データであると判定したとき、その検波出力信号の出力をオフ（遮断）するように構成された複数個の前記請求項３記載のモールス信号除去装置と
を具備することを特徴とするモールス信号除去装置を有する受信機。
【発明の詳細な説明】
【０００１】
【発明の属する技術分野】
本発明は、供給されたデジタル信号がモールス信号であるか否かを判定するモールス信号判定装置、供給されたデジタル信号がモールス信号を含むときそのデジタル信号の出力を遮断可能なモールス信号除去装置、及びそのモールス信号除去装置を備えてモールス信号の含む周波数帯域を除外して受信出力可能な受信機に関する。
【０００２】
【従来の技術】
空間を伝播する送信電波を受信したとき、受信機側では、その受信検波出力を直接表示したり、あるいは受信した信号がデジタル変調波である場合には、その符号化されたデータを復号化してその内容の分析や解読が行われる。
【０００３】
受信帯域が広帯域にわたる場合、送信情報を的確に捉えるために選択性良く受信を行おうとすると、受信機側において、周波数変換用の局発周波数信号を掃引して受信検波を行う場合と、並列配列された複数個の狭帯域フィルタ等で受信帯域を複数に分割し、その分割帯域（チャネル）毎に受信検波する場合とがある。
【０００４】
前者の方法では、広帯域をサイクリックに掃引して受信するので、受信検波されないいずれかの帯域（チャネル）が常に存在するのに対し、後者の方法では、全帯域を同時に受信検波するので、送信情報に対する検出漏れが少ないという利点がある。
【０００５】
もっとも、広帯域にわたり選択性良く同時受信可能な受信機であっても、受信検波信号に対する分析処理能力には自ずから限界がある。従って、受信帯域がより広帯域になりチャネル数が多くると分析処理能力を超えてしまうので、その中から可能な限り、不必要な帯域（チャネル）を予め除外できることが望ましい。
【０００６】
人工衛星等を利用した最近のデジタル放送やデジタル通信等の著しい進展にもみられるように、空間を伝播する電波には、音声や映像によるＡＭやＦＭ等のいわゆるアナログ変調波に混じって、多くのデジタル変調波が存在する。
【０００７】
一般に、未知の到来電波を受信して捕捉し、その送信情報を分析ないしは解読しようとする信号には、符号化データされたデジタル信号が多いので、それを受信して効率良く分析や解読等を行うためには、目的以外のたとえば既知のデジタル変調波を除外することが考えられる。
【０００８】
【発明が解決しようとする課題】
上記のように、空間を伝播する広帯域な高周波信号を受信検波し、送信情報を分析し、その分析効率を向上させようとするには、できれば予め既知のデジタル変調波あるいは分析や解読の不要なデジタル変調波の受信を除外できることが望まれる。
【０００９】
そこで、本発明は、受信デジタル変調波の中に比較的多く存在し、しかも送信情報の分析対象にはなりにくい符号化データとして、モールス信号（符号）が多く存在することに着目してなされたもので、受信信号がモールス信号であるか否かを適切に判定することができるモールス信号判定装置、及びモールス信号が受信信号の中に含むとき、その受信信号を除外できるモールス信号除去装置を実現し、送信情報の効率良い分析を実現可能な受信機を提供することを目的とする。
【００１０】
【課題を解決するための手段】
本発明は、上記従来の課題を解決するためになされたもので、第１の発明は、モールス信号判定装置であって、スペースを挟んで少なくとも２つのマークがつらなる符号化データを含むデジタル信号を導入し、前記２つのマークのパルス幅がいずれも予め設定された範囲内にあるか否かを判定するマーク幅判定手段と、前記デジタル信号の符号化データを導入し、前記スペースの幅が予め設定された範囲内にあるか否かを判定するスペース幅判定手段と、このスペース幅判定手段において前記スペースの幅が予め設定された範囲内にあると判定されるとともに、前記パルス幅判定手段において前記２つのマークのパルス幅がいずれも予め設定された範囲内にあると判定されたとき、前記符号化データはモールス信号であるとして、起動信号を出力するモールス信号判定手段とを具備することを特徴とする。
【００１２】
このように第１の発明によれば、マーク幅判定手段及びスペース幅判定手段を備えたので、供給される符号化データの波形列から、その波形列を構成したデジタル信号がモールス信号であるか否かを、他の信号と区別して的確に判定することができる。
【００１３】
第２の発明は、モールス信号除去装置であって、符号化データからなるデジタル信号を導入して、その出力をオン／オフ切替え可能な切替え手段と、前記デジタル信号の符号化データを導入し、判定に基づき前記起動信号を出力する前記第１の発明のモールス信号判定装置と、このモールス信号判定装置からの前記起動信号に基づき、予め設定された時間の間、前記デジタル信号の出力がオフ（遮断）されるように前記切替え手段を制御するタイマ手段とを具備することを特徴とする。
【００１４】
この第２の発明のモールス信号除去装置によれば、上記第１の発明のモールス信号判定装置を有して、モールス信号を検出したとき直ちに、予め設定された時間長にわたってそのデジタル信号の出力をオフ（遮断）するので、モールス信号を含むデジタル信号を適切に除去することができる。
【００１５】
第３の発明は、モールス信号除去装置を有する受信機であって、高周波信号を受信するアンテナと、このアンテナに接続され、受信された前記高周波信号の受信帯域を複数個に分割する周波数分割手段と、この周波数分割手段で分割された前記高周波信号をそれぞれデジタル信号に変換する複数個のＡ／Ｄ変換手段と、これら複数個のＡ／Ｄ変換手段にそれぞれ接続された複数個の検波手段と、これら複数個の検波手段からの検波出力信号をそれぞれ導入し、その検波出力信号がモールス信号を形成した符号化データであると判定したとき、その検波出力信号の出力をオフ（遮断）するように構成された複数個の前記第２の発明のモールス信号除去装置と具備することを特徴とする。
【００１６】
このように第３の発明によれば、上記第２の発明のモールス信号除去装置を有し、タイムリーに検出されたモールス信号の検出信号により、そのモールス信号を含む受信帯域の検波出力を遮断するので、検波後における無駄な信号分析等を回避して、必要とするデジタル変調波に対する分析や解読を効率良く行うことができる。
【００１７】
【発明の実施の形態】
以下、広帯域信号を受信検波し、効率良く分析等を行うのに好適な本発明によるモールス信号除去装置を有する受信機の一実施の形態を、図１ないし図７を参照して詳細に説明する。
【００１８】
図１は本発明によるモールス信号除去装置を有する受信機の第１の実施の形態を示す構成図である。
【００１９】
すなわち、図１に示したように、アンテナ１で受信された到来電波は、高周波増幅回路２を介して周波数変換回路３に供給され、ここで局部発信器４からの局発信号と混合され、中間周波数（ＩＦ）信号に変換される。ＩＦ信号は、ＩＦ増幅器５を介してアナログ／デジタル（Ａ／Ｄ）変換回路６に供給される。Ａ／Ｄ変換回路６は、ＩＦ信号を導入しデジタル信号への変換を行い、変換後のデジタル信号は周波数分割回路７に供給される。
【００２０】
この実施の形態の周波数分割回路７は、高速フーリエ変換回路（ＦＦＴ）で構成され、ＩＦ帯域をＮ（複数）個のチャネルに分割するので、Ｎ個のチャネルに分割された帯域の各受信信号は、それぞれ対応するように並列接続されたＮ個の検波回路８（８１〜８Ｎ）に供給される。
【００２１】
そして、Ｎ個の検波回路８（８１〜８Ｎ）は、各対応するチャネルのデジタル信号を導入してそれぞれ検波し、検波後の各信号はモールス信号除去手段９に供給される。
【００２２】
モールス信号除去手段９は、Ｎ個の並列接続されたモールス信号除去装置９（９１〜９Ｎ）で構成され、各対応するチャネルの検波信号を導入して、ここでモールス信号を含む検波出力信号を除去するので、モールス信号を含まない検波出力信号のみが復号化手段１０に供給される。
【００２３】
そこで、モールス信号除去手段９（９１〜９Ｎ）は、以下説明するように、検波出力信号中にモールス信号が現れたとき、これを迅速に検知し、予め設定された時間長にわたって、そのチャネルの検波出力信号が復号化手段１０へ供給されるのをオフ（遮断）するように機能する。
【００２４】
すなわち、モールス信号は、周知のように、短点パルス（トン）と長点パルス（ツー）のマークの組み合わせで文字や記号等のキャラクタを表した符号化データからなり、長点パルスのパルス幅は短点パルスのパルス幅のおよそ３倍の長さに、また１キャラクタ内において隣接する２つのパルス間の間隔（スペース）は短点パルスのパルス幅に対応した長さとなるように設定されている。
【００２５】
図２は、スペースＳ１を介して、約２０ｍｓのパルス幅の短パルスＭ１と約６０ｍｓのパルス幅の長パルスＭ２とがつらなって１キャラクタ（アルファベットのＡ）を構成し、次のキャラクタとの間に約２０ｍｓのキャラクタ間スペースＳ２を形成してなる符号化データを示したものである。もちろん、各マーク幅及びスペース幅は、送信側で実際に電鍵を操作する人の操作速度により若干変動する。
【００２６】
そこで、この実施の形態におけるモールス信号除去手段９（９１〜９Ｎ）の具体的構成及び動作を図３ないし図５を参照して説明を行うものであるが、ここでは、図２に示したパターンのモールス信号がモールス信号除去手段９（９１〜９Ｎ）供給されるものとして以下説明する。
【００２７】
図３は、この実施の形態における各モールス信号除去装置９１〜９Ｎに共通した構成図を示したものである。
【００２８】
すなわち、各モールス信号除去装置９１〜９Ｎは、信号入力端９Ａに接続されたスイッチ回路９Ｂ及びモールス信号判定回路９Ｃと、このモールス信号判定回路９Ｃからの信号供給を受けて計時し、スイッチ回路９Ｂを駆動制御するタイマ回路９Ｄと、スイッチ回路９Ｂに接続された信号出力端９Ｅとで構成されている。
【００２９】
モールス信号判定回路９Ｃは、信号入力端９Ａから供給される符号化データのパルス幅の長短を判定するマーク幅判定器９Ｃ１と、同じく信号入力端９Ａから供給される符号化データを正負反転させるインバータ９Ｃ２と、このインバータ９Ｃ２に従属接続され、回路構成は前記マーク幅判定器９Ｃ１と同様に形成されたスペース幅判定器９Ｃ３と、このスペース幅判定器９Ｃ３及び前記マーク幅判定器９Ｃ１に共通接続されたモールス信号判定器９Ｃ４とで構成されている。
【００３０】
マーク幅判定器９Ｃ１は、図４に示すように構成され、信号入力端９Ａに供給された符号化データを導入し、パルス幅が予め設定された範囲内にあるか否かを判定する。すなわち、マーク幅判定器９Ｃ１は、供給された符号化データがモールス信号を特徴づけた長短パルスであるか否かを識別する機能を有する。
【００３１】
マーク幅判定器９Ｃ１は、図４に示したように、短パルスを検知する側の回路、すなわち第１の積分回路９Ｃ１ａ、シュミット回路９Ｃ１ｂ、単安定マルチ回路９Ｃ１ｃ及びアンド回路９Ｃ１ｄと、長パルスを検知する側の回路、すなわち第２の積分回路９Ｃ１ｅ、シュミット回路９Ｃ１ｆ、単安定マルチ回路９Ｃ１ｇ及びアンド回路９Ｃ１ｈと、入力信号を反転して共通供給するインバータ９Ｃ１ｉ、及びオア回路９Ｃ１ｊとから構成されている。
【００３２】
そこで、このマーク幅判定器９Ｃ１における長短パルスの識別動作を図５に示した信号波形図を図４に加えて参照し説明する。
【００３３】
いま、信号入力端９Ａに供給された、図５（ａ）に示す波形の符号化データ、すなわちトン・ツーで１キャラクタを表すモールス信号が、第１の積分回路９Ｃ１ａ、第２の積分回路９Ｃ１ｅ及びインバータ９Ｃ１ｉに並列に供給される。
【００３４】
そこで、第１の積分回路９Ｃ１ａは、短パルス検出用で時定数が小さい積分回路からなり、入力信号（モールス信号）を導入し、各パルスに対し、図５（ｂ）に示す積分出力を導出してシュミット回路９Ｃ１ｂに供給する。シュミット回路９Ｃ１ｂは自己の閾値により、ｔ１時間後に図５（ｃ）に示すパルス信号を導出し、単安定マルチ回路９Ｃ１ｃをトリガするので、単安定マルチ回路９Ｃ１ｃは、図５（ｄ）に示すパルス幅ｔ２のパルスを出力し、アンド回路９Ｃ１ｄの一方の入力端に供給する。ここでパルス幅ｔ２の後縁は短パルスＭ１の後縁後、長パルスＭ２の後縁前に位置するように設定されている。
【００３５】
アンド回路９Ｃ１ｄの他方の入力端には、図５（ｅ）に示すように、インバータ９Ｃ１ｉで反転された図５（ａ）の反転信号が供給されるので、図５（ｆ）に示すように、短パルスＭ１の検出を示した一致出力がオア回路９Ｃ１ｊに供給される。
【００３６】
他方、第２の積分回路９Ｃ１ｅは、長パルス検出用で時定数が大きい積分回路からなり、入力信号を導入し、各パルスに対し、図５（ｇ）に示す積分出力を導出してシュミット回路９Ｃ１ｆに供給する。シュミット回路９Ｃ１ｆも自己の閾値により、Ｔ１時間後に図５（ｈ）に示すパルス信号を導出し、単安定マルチ回路９Ｃ１ｇをトリガするので、単安定マルチ回路９Ｃ１ｇは、図５（ｉ）に示すパルス幅Ｔ２のパルスを出力し、アンド回路９Ｃ１ｈの一方の入力端に供給する。ここでパルス幅Ｔ２の後縁は長パルスＭ２の後縁後に位置するように設定される。
【００３７】
そこで、アンド回路９Ｃ１ｈの他方の入力端には、上述のように、図５（ｅ）に示す反転信号が供給されるので、図５（ｊ）に示す長パルスＭ２の検出を示す一致出力がオア回路９Ｃ１ｊに供給される。
【００３８】
オア回路９Ｃ１ｊは、図５（ｋ）に示すように、入力信号端９Ａに供給された検波出力パルスがモールス信号を形成した長短パルス信号であることを示す検出信号を、図３に示したモールス信号判定器９Ｃ４に供給する。
【００３９】
上記のように、マーク幅判定器９Ｃ１は、信号入力端９Ａに供給された検波出力信号のパルスがモールス符号のマークであることを検出した旨説明したが、この実施の形態では、さらに検波出力信号におけるパルス間のスペースがモールス符号のスペースであることを、インバータ９Ｃ２及びスペース幅判定器９Ｃ３により検出し、モールス信号判定器９Ｃ４に供給する。
【００４０】
すなわち、スペース幅判定器９Ｃ３は、図４で示したマーク幅判定器９Ｃ１と同じ回路構成とし、インバータ９Ｃ２において図５（ａ）に示した入力信号を反転させて供給するので、１キャラクタ内のスペースＳ１の幅、並びに次のキャラクタまでの間のスペースＳ２の幅を同様に検知してモールス信号判定器９Ｃ４に供給する。
【００４１】
従って、モールス信号判定器９Ｃ４は、マーク幅判定器９Ｃ１からのマーク検知信号、及びスペース幅判定器９Ｃ３からのスペース検知信号の供給を交互に受けたとき、モールス信号が正しく検知されたものとして起動信号をタイマ回路９Ｄに供給することができる。
【００４２】
タイマ回路９Ｄは、モールス信号判定回路９Ｃからの信号を受けたときから所定時間計時するまでの間、スイッチ手段であるスイッチ回路９Ｂを制御し、信号入力端９Ａに供給された検波出力信号の次の復号化回路１０（１０１〜１０Ｎ）への供給をオフ（遮断）する。
【００４３】
このようにして、入力検波された符号化データがモールス信号であるとき、該当するモールス信号除去装置（９１〜９Ｎ）のモールス信号判定回路９Ｃは直ちにそれを検知して、そのチャネルの検波出力を予め設定された時間にわたって遮断するので、後段における無駄な復号化操作や表示は回避され、データ分析等の簡素化を実現できる。
【００４４】
もちろん、タイマ回路９Ｄで設定された時間が経過した後は、スイッチ回路９Ｂはオンするように回復するので、そのチャネルの受信検波信号は対応する復号化回路（１０１〜１０Ｎ）に供給される。しかし、依然として引続きモールス信号が受信検波されているときには、上述のようにモールス信号判定回路９Ｃ及びタイマ回路９Ｄが作動し、スイッチ回路９Ｂを制御するので、モールス信号の復号化は回避される。
【００４５】
このように、上記第１の実施の形態によれば、タイムリーなモールス信号の検出により、そのモールス信号を含む受信帯域の検波出力を遮断するので、検波後における無駄な信号分析を回避して、広帯域な受信デジタル変調波に対する分析や解読を効率良く行うことができる。
【００４６】
なお、上記第１の実施の形態は、モールス信号除去装置９（９１〜９Ｎ）における動作の理解のために、主要部の構成をハードウェアで実現した例を説明したものである。
【００４７】
しかしながら、このようなデジタル信号の波形分析には、高速フーリエ変換（ＦＦＴ）を採用し、ＦＦＴによる波形分析データから、ソフトウェアによるデジタル信号処理により、当該パルス（マーク）及びスペースがモールス信号を形成したものであるか否かを判定することもできる。
【００４８】
すなわち、モールス信号除去装置９（９１〜９Ｎ）の主要部をコンピュータ上の信号処理回路で構成した本発明における受信機の第２の実施の形態を図６及び図７を参照して説明する。なお、この第２の実施の形態において、上記第１の実施の形態との相違点は、モールス信号除去装置９（９１〜９Ｎ）の構成のみであるので、図６に示したモールス信号除去装置９（９１〜９Ｎ）の構成を主に説明し、他の構成の説明は省略する。
【００４９】
図６において、各モールス信号判定装置９１〜９Ｎは、信号入力端９Ａに接続されたスイッチ回路９Ｂ及びモールス信号判定回路９Ｆと、このモールス信号判定回路９Ｆからの信号供給を受けて計時し、スイッチ回路９Ｂを駆動制御するタイマ回路９Ｄと、スイッチ回路９Ｂに接続された信号出力端９Ｅとで構成されている。
【００５０】
モールス信号判定回路９Ｆは、入力端９Ａから供給される検波出力信号、すなわち符号化データのパルス波形を分析するＦＦＴ回路９Ｆ１と、このＦＦＴ回路９Ｆ１における波形分析データの供給を受けて、それがモールス信号に該当するか否かを判定し、モールス信号であると判定したとき、起動信号をタイマ回路９Ｄに供給する信号処理回路９Ｆ２とで構成されている。
【００５１】
ＦＦＴ回路９Ｆ１は、たとえば既知のＦＦＴアナライザで構成され、供給されたデジタル信号を振幅領域及び時間領域で分析を行い、検出された信号出現時刻及び信号消滅時刻から、所定時間Ｔ内の信号数及びパルス幅等を分析し、その分析データを信号処理回路９Ｆ２に供給する。
【００５２】
信号処理回路９Ｆ２は、演算処理部を内蔵したコンピュータで構成され、図７に示すフローチャートに示す手順で動作する。
【００５３】
すなわち、信号処理回路９Ｆ２は、ＦＦＴ回路９Ｆ１からのパルス検出データを受け、検出パルス（マーク）信号数が、所定時間Ｔ経過する間に、２個以上（入力信号数≧２）存在し、かつ各検出パルス（マーク）信号の信号長、すなわちパルス幅Ｐが、予め設定された最短の短パルス幅ＭＳよりも大きく、かつ最長の長パルス幅ＭＬよりも小さいか否か判定する（ステップ７１）。
【００５４】
そして、ステップ７１において、所定時間Ｔ経過する間に、２個以上（入力信号数≧２）存在し、かつ各検出パルスのパルス幅Ｐが、予め設定された最短の短パルス幅ＭＳよりも大きく、かつ最長の長パルス幅ＭＬよりも小さい（ＹＥＳ）と判定されたとき、その検出パルス信号はモールス信号であるとして、次のステップ７２に移行し、タイマ回路９Ｄに起動信号を供給する。上記ステップ７１において、上記条件を満足しない（ＮＯ）と判定されたときには、信号処理回路９Ｆ２はタイマ回路９Ｄを起動しないので、そのチヤネルの検波出力信号は信号出力端９Ｅから、接続された該当の復号化回路（１０１〜１０Ｎ）に供給されるとともに、必要に応じて表示分析が行われる。
【００５５】
従って、この第２の実施の形態においても、受信検波されたデジタル変調波は、それがモールス信号であるか否かが迅速に判定され、モールス信号を含む符号化データであると判定されたとき、直ちにタイマ回路９Ｄを起動するので、スイッチ回路９Ｂは、予め設定された所定時間の間、その受信チャネルの検波出力信号の復号化回路（１０１〜１０Ｎ）への供給をオフ（遮断）するので、無駄な復号化や分析表示を回避することができる。
【００５６】
なお、上記第２の実施の形態において、信号処理回路９Ｆ２のみコンピュータの処理演算を行う旨説明したが、コンピュータによる処理演算は、信号処理回路９Ｆ２のみならず、タイマ回路９Ｄをも含めを実行するように構成することもできる。
【００５７】
また、上記第１及び第２の各実施の形態において、モールス符号であることを示したパルス（マーク）及びスペース（１キャラクタ内スペース、及び隣接する２キャラクタ間スペース）は、図２に示した単純なトン・ツーのモールス符号を例に説明したが、各マーク幅やスペース幅はオペレータの電鍵操作速度等により若干変動する。また、モールス符号固有の性質から、当然ながら１キャラクタに占める時間幅（時間長）も、キャラクタを形成した文字や記号の種類で個々に異なる。
【００５８】
しかしながら、モールス符号では、マークの出現するタイミングの間隔は、最大でも１個の長いスペース（図２で示すスペースＳ２）を超えることは無い。従って、図５に示したように、パルス幅やスペース幅等の変動分を考慮しつつ、ほぼ所定時間Ｔの時間範囲を基準に、その中にマーク（信号数）が少なくとも２個存在することを条件に、モールス符号である否かの判定を適切に行うことができる。
【００５９】
いずれにしても、本発明によるモールス信号除去装置を有する受信機は、符号化データがモールス信号であるか否かを適切かつ迅速に判定し得て、そのモールス信号を含む符号化データを除去できるように構成されたので、無駄な周波数チャネルの検波出力を除去して、広帯域にわたる受信信号の分析作業を効率良く実施することができるものであり、実用に際して優れた効果を発揮することができる。
【００６０】
【発明の効果】
以上説明のように、本発明によれば、広帯域なデジタル変調波を受信して、モールス信号を含む受信チャネルをタイムリーにまた効果的に除去して、無駄な検波出力信号を排除し、効率の良い復号や分析表示を行うことができるものであり、実用に際して得られる効果大である。
【図面の簡単な説明】
【図１】本発明によるモールス信号除去装置を有する受信機の第１の実施の形態を示す構成図である。
【図２】図１に示した受信機において、検波出力されるモールス信号例を示した波形図である。
【図３】図１に示した受信機のモールス信号除去装置の構成図である。
【図４】図３に示したマーク幅判定器の構成図である。
【図５】図４に示したマーク幅判定器の動作を説明する信号波形図である。
【図６】本発明による受信機の第２の実施の形態におけるモールス信号除去装置を示した構成図である。
【図７】図６に示した信号処理回路の動作手順を説明したフローチャートである。
【符号の説明】
１  アンテナ
３  周波数変換回路
６  アナログ／デジタル（Ａ／Ｄ）変換手段
７  周波数分割回路（周波数分割手段）
８  検波手段
８１〜８Ｎ  検波回路
９  モールス信号除去手段
９１〜９Ｎ  モールス信号除去装置
９Ｂ  スイッチ回路（スイッチ手段）
９Ｃ  モールス信号判定回路（モールス信号判定手段）
９Ｃ１  マーク幅判定器（マーク幅判定手段）
９Ｃ２  インバータ（スペース幅判定手段）
９Ｃ３  スペース幅判定器（スペース幅判定手段）
９Ｃ４  モールス信号判定器
９Ｄ  タイマ回路（タイマ手段）
９Ｆ  モールス信号判定回路（モールス信号判定手段）
１０  復号化手段
１０１〜１０Ｎ  復号化回路
１１  表示器
【図１】
0003723143.tif 000002
【図２】
0003723143.tif 000003
【図３】
0003723143.tif 000004
【図４】
0003723143.tif 000005
【図５】
0003723143.tif 000006
【図６】
0003723143.tif 000007
【図７】
0003723143.tif 000008